(57)【要約】【課題】追加の透析用粉末剤の投入タイミングを作業者に対して予め把握させることができる溶解装置を提供する。【解決手段】透析用原液を所定量収容し得る溶解槽（２、３）を具備し、透析治療中、患者に透析治療を施すための複数の透析装置側に溶解槽の透析用原液を送液するのに伴って、追加の透析用粉末剤を所定量毎に投入させて溶解し得る溶解装置１において、過去の透析治療中における追加の透析用粉末剤を投入したタイミングを実績投入タイミングとして記憶し得る記憶手段５と、記憶手段５で記憶された実績投入タイミングに基づいて、これから行われる透析治療中における追加の透析用粉末剤を投入するタイミングを予測投入タイミングとして予測し得る予測手段７と、予測手段７で予測された予測投入タイミングを表示し得る表示手段８とを具備したものである。【選択図】図５
2018153557.tif 000002
【特許請求の範囲】
【請求項１】
透析用粉末剤を溶解して透析用原液を得るとともに、その溶解された透析用原液を所定量収容し得る溶解槽を具備し、透析治療中、患者に透析治療を施すための複数の透析装置側に前記溶解槽の透析用原液を送液するのに伴って、追加の透析用粉末剤を所定量毎に投入させて溶解し得る溶解装置において、
過去の透析治療中における追加の透析用粉末剤を投入したタイミングを実績投入タイミングとして記憶し得る記憶手段と、
前記記憶手段で記憶された実績投入タイミングに基づいて、これから行われる透析治療中における追加の透析用粉末剤を投入するタイミングを予測投入タイミングとして予測し得る予測手段と、
前記予測手段で予測された予測投入タイミングを表示し得る表示手段と、
を具備したことを特徴とする溶解装置。
【請求項２】
透析治療において必要とされる透析用粉末剤の総量を入力し得るとともに、入力された透析用粉末剤の総量に基づいて、透析用粉末剤を追加投入すべき追加回数と、各追加投入タイミングで投入すべき透析用粉末剤の追加量とを設定し得る設定手段を具備し、前記表示手段は、前記予測投入タイミングと併せて前記設定手段で設定された追加回数及び追加量を表示可能とされたことを特徴とする請求項１記載の溶解装置。
【請求項３】
前記設定手段で設定された追加回数又は追加量を任意に変更可能とされるとともに、前記予測手段は、当該変更に対応して前記予測投入タイミングを修正し、その修正された予測投入タイミングを前記表示手段にて表示させ得ることを特徴とする請求項２記載の溶解装置。
【請求項４】
前記溶解槽内に収容された透析用原液の液位を連続的且つリアルタイムに検出可能な液位検出手段と、
前記液位検出手段で検出された透析用原液の液位に基づいて前記透析用粉末剤の追加投入タイミングを報知し得る報知手段と、
を具備するとともに、前記予測手段は、前記報知手段で報知された追加投入タイミングに基づいて次回以降の前記予測投入タイミングを修正し、その修正された予測投入タイミングを前記表示手段にて表示させ得ることを特徴とする請求項２又は３記載の溶解装置。
【請求項５】
前記記憶手段は、医療施設における患者の治療日程に対応した特定の治療日毎に前記実績投入タイミングを記憶するとともに、前記予測手段は、当該特定の治療日毎の予測投入タイミングを予測して前記表示手段で表示させ得ることを特徴とする請求項１〜４の何れか１つに記載の溶解装置。
【請求項６】
前記表示手段で表示される予測投入タイミングは、時刻又は溶解開始時からの経過時間とされることを特徴とする請求項１〜５の何れか１つに記載の溶解装置。
【発明の詳細な説明】
【技術分野】
【０００１】
本発明は、透析用粉末剤を溶解して透析用原液を得るための溶解装置に関するものである。
【背景技術】
【０００２】
病院等で腎不全患者の治療に使用される透析液は、一般に重炭酸塩系と酢酸系とに区分され、このうち重炭酸塩系の透析液は、重炭酸ナトリウムを含まないもの（以下、Ａ剤という。）と重炭酸ナトリウム（以下、Ｂ剤という。）の２種類の剤に水を混合して調整されるものである。近年、運搬性向上の観点から、これらＡ剤及びＢ剤を粉末化したもの（以下、「透析用粉末剤」という。）を透析治療直前や透析治療中に溶解する試みがなされている。
【０００３】
すなわち、透析用粉末剤を溶解して作製される原液（Ａ剤を溶解したＡ原液やＢ剤を溶解したＢ原液）は、清浄性の観点から溶解後にできるだけ早く治療に使用することが好ましく、特にＢ原液は、経時的に成分が変化する虞があるため、作り置きして長時間放置しておくことは好ましくないことから、透析治療直前にＡ原液やＢ原液を作製する必要があり、さらに、透析治療中においてＡ原液やＢ原液が不足した場合、それぞれの原液を追加で作製する必要がある。
【０００４】
このように、透析治療毎に溶解作業が必要となることから、従来から溶解のための溶解装置が各種提案されている。例えば特許文献１〜３には、２つの溶解槽を併設した溶解装置が開示されており、かかる構成により、透析治療中において、一方の溶解槽から透析液原液を透析装置側に送液している間に、他方の溶解槽に透析用粉末剤を投入させて透析用粉末剤の追加溶解を行うことができる。
【先行技術文献】
【特許文献】
【０００５】
【特許文献１】特開２００１−９０２８号公報
【特許文献２】特開２０１６−１９６６８号公報
【特許文献３】特開２０１６−１９６６９号公報
【発明の概要】
【発明が解決しようとする課題】
【０００６】
しかしながら、上記従来技術においては、溶解槽内に収容された透析用粉末剤が所定の液位を下回った際、これを液位センサ等にて検出して医療従事者等の作業者に対して報知することにより、透析用粉末剤を追加で投入させ得る構成とされているものの、追加の透析用粉末剤の投入タイミングを予め把握させることができない構成であった。よって、作業者が他の作業を行っている最中であっても優先して透析用粉末剤の追加投入を行う必要があり、早急に対応できない場合、透析用原液が不足してしまう虞があった。
【０００７】
本発明は、このような事情に鑑みてなされたもので、追加の透析用粉末剤の投入タイミングを作業者に対して予め把握させることができる溶解装置を提供することにある。
【課題を解決するための手段】
【０００８】
請求項１記載の発明は、透析用粉末剤を溶解して透析用原液を得るとともに、その溶解された透析用原液を所定量収容し得る溶解槽を具備し、透析治療中、患者に透析治療を施すための複数の透析装置側に前記溶解槽の透析用原液を送液するのに伴って、追加の透析用粉末剤を所定量毎に投入させて溶解し得る溶解装置において、過去の透析治療中における追加の透析用粉末剤を投入したタイミングを実績投入タイミングとして記憶し得る記憶手段と、前記記憶手段で記憶された実績投入タイミングに基づいて、これから行われる透析治療中における追加の透析用粉末剤を投入するタイミングを予測投入タイミングとして予測し得る予測手段と、前記予測手段で予測された予測投入タイミングを表示し得る表示手段とを具備したことを特徴とする。
【０００９】
請求項２記載の発明は、請求項１記載の溶解装置において、透析治療において必要とされる透析用粉末剤の総量を入力し得るとともに、入力された透析用粉末剤の総量に基づいて、透析用粉末剤を追加投入すべき追加回数と、各追加投入タイミングで投入すべき透析用粉末剤の追加量とを設定し得る設定手段を具備し、前記表示手段は、前記予測投入タイミングと併せて前記設定手段で設定された追加回数及び追加量を表示可能とされたことを特徴とする。
【００１０】
請求項３記載の発明は、請求項２記載の溶解装置において、前記設定手段で設定された追加回数又は追加量を任意に変更可能とされるとともに、前記予測手段は、当該変更に対応して前記予測投入タイミングを修正し、その修正された予測投入タイミングを前記表示手段にて表示させ得ることを特徴とする。
【００１１】
請求項４記載の発明は、請求項２又は３記載の溶解装置において、前記溶解槽内に収容された透析用原液の液位を連続的且つリアルタイムに検出可能な液位検出手段と、前記液位検出手段で検出された透析用原液の液位に基づいて前記透析用粉末剤の追加投入タイミングを報知し得る報知手段とを具備するとともに、前記予測手段は、前記報知手段で報知された追加投入タイミングに基づいて次回以降の前記予測投入タイミングを修正し、その修正された予測投入タイミングを前記表示手段にて表示させ得ることを特徴とする。
【００１２】
請求項５記載の発明は、請求項１〜４の何れか１つに記載の溶解装置において、前記記憶手段は、医療施設における患者の治療日程に対応した特定の治療日毎に前記実績投入タイミングを記憶するとともに、前記予測手段は、当該特定の治療日毎の予測投入タイミングを予測して前記表示手段で表示させ得ることを特徴とする。
【００１３】
請求項６記載の発明は、請求項１〜５の何れか１つに記載の溶解装置において、前記表示手段で表示される予測投入タイミングは、時刻又は溶解開始時からの経過時間とされることを特徴とする。
【発明の効果】
【００１４】
請求項１の発明によれば、過去の透析治療中における追加の透析用粉末剤を投入したタイミングを実績投入タイミングとして記憶し得る記憶手段と、記憶手段で記憶された実績投入タイミングに基づいて、これから行われる透析治療中における追加の透析用粉末剤を投入するタイミングを予測投入タイミングとして予測し得る予測手段と、予測手段で予測された予測投入タイミングを表示し得る表示手段とを具備したので、追加の透析用粉末剤の投入タイミングを作業者に対して予め把握させることができる。
【００１５】
請求項２の発明によれば、透析治療において必要とされる透析用粉末剤の総量を入力し得るとともに、入力された透析用粉末剤の総量に基づいて、透析用粉末剤を追加投入すべき追加回数と、各追加投入タイミングで投入すべき透析用粉末剤の追加量とを設定し得る設定手段を具備し、表示手段は、予測投入タイミングと併せて設定手段で設定された追加回数及び追加量を表示可能とされたので、追加回数及び追加量と併せて追加の透析用粉末剤の投入タイミングを作業者に対して予め把握させることができる。
【００１６】
請求項３の発明によれば、設定手段で設定された追加回数又は追加量を任意に変更可能とされるとともに、予測手段は、当該変更に対応して予測投入タイミングを修正し、その修正された予測投入タイミングを表示手段にて表示させ得るので、追加回数又は追加量の変更に伴う予測投入タイミングのずれを自動的に修正して表示させることができる。
【００１７】
請求項４の発明によれば、溶解槽内に収容された透析用原液の液位を連続的且つリアルタイムに検出可能な液位検出手段と、液位検出手段で検出された透析用原液の液位に基づいて透析用粉末剤の追加投入タイミングを報知し得る報知手段とを具備するとともに、予測手段は、報知手段で報知された追加投入タイミングに基づいて次回以降の予測投入タイミングを修正し、その修正された予測投入タイミングを表示手段にて表示させ得るので、予測投入タイミングが報知手段で報知された実際の追加投入タイミングに対してずれた場合、そのずれを修正して表示させることができ、予測投入タイミングを精度よく予測することができる。
【００１８】
請求項５の発明によれば、記憶手段は、医療施設における患者の治療日程に対応した特定の治療日毎に実績投入タイミングを記憶するとともに、予測手段は、当該特定の治療日毎の予測投入タイミングを予測して表示手段で表示させ得るので、患者の治療日程が予め決まっている透析治療において、予測投入タイミングをより精度よく予測することができる。
【００１９】
請求項６の発明によれば、表示手段で表示される予測投入タイミングは、時刻又は溶解開始時からの経過時間とされるので、追加の透析用粉末剤の投入タイミングを作業者に対してより正確に把握させることができる。
【図面の簡単な説明】
【００２０】
【図１】本発明の実施形態に係る溶解装置を示す斜視図
【図２】同溶解装置を示す３面図
【図３】図２におけるＩＩＩ−ＩＩＩ線断面図
【図４】同溶解装置が適用される血液浄化システムを示す模式図
【図５】同溶解装置の構成を概念的に示す模式図
【図６】同溶解装置の構成（給水）を概念的に示す模式図
【図７】同溶解装置の構成（給水及び溶解）を概念的に示す模式図
【図８】同溶解装置の構成（溶解及び循環）を概念的に示す模式図
【図９】同溶解装置の構成（送液）を概念的に示す模式図
【図１０】同溶解装置の構成（送液切り替え及び給水）を概念的に示す模式図
【図１１】同溶解装置の構成（追加投入）を概念的に示す模式図
【図１２】同溶解装置の構成（送液切り替え及び移送）を概念的に示す模式図
【図１３】同溶解装置における表示手段による表示内容（メニュー画面）を示す模式図
【図１４】同溶解装置における表示手段による表示内容（予測投入タイミング等の表示）を示す模式図
【図１５】同表示手段による表示内容（追加量の変更時の表示）を示す模式図
【図１６】同表示手段による表示内容（追加量及び追加回数の変更時の表示）を示す模式図
【図１７】同溶解装置における予測投入タイミングの修正時の制御内容を示すフローチャート
【図１８】同溶解装置における予測投入タイミングの修正時の制御内容を示すフローチャート
【図１９】同溶解装置の記憶手段で記憶された過去の透析治療時における透析用原液の経時的な消費傾向を示すグラフ
【図２０】本発明の他の実施形態に係る溶解装置を示す模式図
【発明を実施するための形態】
【００２１】
以下、本発明の実施形態について図面を参照しながら具体的に説明する。
本実施形態に係る溶解装置は、透析用粉末剤を溶解し透析用原液を得るものであって、図１〜５に示すように、透析用粉末剤を溶解して透析用原液を得るとともに、その溶解された透析用原液を所定量収容し得る第１溶解槽２及び第２溶解槽３と、入力手段４と、記憶手段５と、設定手段６と、予測手段７と、表示手段８と、液位検出手段９と、報知手段１０とを有して構成されている。
【００２２】
第１溶解槽２は、重炭酸ナトリウムを含まないもの（Ａ剤）又は重炭酸ナトリウム（Ｂ剤）の２種類のうち何れかから成る透析用粉末剤を投入可能な収容空間を有するとともに、給水源から延設された給水ラインＬ１が接続されている。かかる給水ラインＬ１には、図５に示すように、電磁弁等から成るバルブＶ１が配設されており、このバルブＶ１を開状態とすることにより第１溶解槽２内に給水可能とされている。しかして、給水源から所定量の水を第１溶解槽２内に供給して収容させた後、その水の量に対して決められた量（規定量）の透析用粉末剤を第１溶解槽２に投入することにより、所定量及び所定濃度の透析用原液を得ることができる。
【００２３】
第２溶解槽３は、第１溶解槽２に投入される透析用粉末剤と同種の透析用粉末剤を投入可能な空間を有するとともに、図５に示すように、当該第２溶解槽３と第１溶解槽２とを連結する接続ラインＬ４が接続されている。かかる接続ラインＬ４には、電磁弁等からなるバルブＶ２、Ｖ３、Ｖ４が配設されており、これらバルブＶ２、Ｖ３、Ｖ４を開状態にすることにより、第１溶解槽２内の液体を第２溶解槽３内に移送可能とされている。なお、本実施形態に係る第２溶解槽３は、第１溶解槽２に比べて相対的に容量が小さなタンクとされ、オーバーフローラインＬ５にて第１溶解槽２に接続されている。
【００２４】
また、第１溶解槽２は、給水ラインＬ１及び接続ラインＬ４の他、接続ラインＬ２が接続されている。かかる接続ラインＬ２は、一端が第１溶解槽２に接続されるとともに、他端が接続ラインＬ４における接続部ｂ（バルブＶ２とバルブＶ３との間の位置）に接続されている。さらに、接続ラインＬ２における接続部ａ（ポンプＰ１の配設部位と接続部ｂとの間の位置）には、送液ラインＬ３の基端が接続されている。かかる送液ラインＬ３は、ポンプＰ２が配設されるとともに、電磁弁等から成るバルブＶ５が配設されている。なお、送液ラインＬ３と接続ラインＬ４との間には、電磁弁等から成るバルブＶ６が配設された接続ラインＬ６が接続されている。
【００２５】
送液ラインＬ３は、その途中にポンプＰ２が配設されるとともに、先端が透析液供給装置Ｂ（図４参照）に接続されており、溶解装置１で作製された透析用原液を透析液供給装置Ｂに送液可能とされている。かかる透析液供給装置Ｂは、溶解装置１から送液された透析用原液を所定濃度に希釈して透析液を作製するもので、図４に示すように、配管を介して複数の透析装置Ａに接続されている。しかして、溶解装置１で作製された透析用原液は、透析液供給装置Ｂで所定濃度の透析液とされ、各透析装置Ａに送液されて透析治療が施されるようになっている。
【００２６】
液位検出手段９は、第１溶解槽２に配設されたセンサから成るもので、第１溶解槽２内に収容された透析用原液の液位を連続的且つリアルタイムに検出可能なものである。本実施形態に係る液位検出手段９は、第１溶解槽２内に収容された液体の液面に浮いて上下移動可能な浮き手段を有した磁歪式リニア変位センサで構成されており、浮き手段の位置を連続的且つリアルタイムに検出することにより、液面（すなわち液位）を検知可能とされている。
【００２７】
なお、液位検出手段９は、第１溶解槽２内に収容された透析用原液（供給された水又は溶液であってもよい）の液位を連続的且つリアルタイムに検出可能なものであれば、接触式又は非接触式のどちらのタイプでもよく、本実施形態の如く浮き手段による磁歪式リニア変位センサの他、超音波センサ等により構成するようにしてもよい。また、本実施形態においては、液位検出手段９が第１溶解槽２のみに配設されているが、当該第１溶解槽２と共に第２溶解槽３にも配設するようにしてもよい。
【００２８】
さらに、液位検出手段９は、報知手段１０と電気的に接続されている。かかる報知手段１０は、液位検出手段９で検出された透析用原液の液位に基づいて透析用粉末剤の追加投入タイミングを報知し得るもので、音声や効果音等を出力させるスピーカや警告灯などから構成されている。すなわち、液位検出手段９にて検出された液位が所定の高さより低く、透析用原液が不足すると予測される時点において、報知手段１０にて報知することにより、追加の透析用粉末剤を医療従事者等の作業者に投入させ、追加溶解することにより透析用原液を追加で作製することができるのである。
【００２９】
次に、本実施形態に係る溶解装置１による溶解のための動作について説明する。
先ず、透析治療前（治療前日の夜等）において、図６に示すように、第２溶解槽３に所定量（準備溶解袋数）の透析用粉末剤を投入して収容させておく。そして、バルブＶ１、Ｖ２を開状態としつつバルブＶ３〜Ｖ６を閉状態とすることにより、給水源から第１溶解槽２に給水するとともに、ポンプＰ１を駆動させることにより、供給された水を循環させる。
【００３０】
その後、図７に示すように、バルブＶ１、Ｖ３、Ｖ４を開状態としつつバルブＶ２、Ｖ５、Ｖ６を閉状態とし、給水源からの給水及びポンプＰ１の駆動を継続して行わせることにより、第１溶解槽２内の水を第２溶解槽３に送り込む。これにより、予め第２溶解槽３内に収容された透析用粉末剤に水が送り込まれて溶解するとともに、その溶解液（透析用原液となる過程の溶液）がオーバーフローラインＬ５を介して第１溶解槽２に送り込まれることとなる。
【００３１】
そして、所定量の給水が行われると、図８に示すように、バルブＶ３、Ｖ４を開状態としつつバルブＶ１、Ｖ２、Ｖ５、Ｖ６を閉状態とし、給水源からの給水を停止する一方、ポンプＰ１の駆動を継続して行わせることにより、第１溶解槽２と第２溶解槽３との間で透析用原液を循環させる。これにより、作製した透析用原液を攪拌することができ、均一な濃度の透析用原液を得ることができる。
【００３２】
上記のように第１溶解槽２及び第２溶解槽３のそれぞれに透析用原液が収容された状態において、図９に示すように、バルブＶ５を開状態としつつバルブＶ１〜Ｖ４、Ｖ６を閉状態とし、ポンプＰ１及びポンプＰ２を駆動させることにより、送液ラインＬ３を介して第１溶解槽２内の透析用原液を透析液供給装置Ｂに送液することができ、所定濃度の透析液を各透析装置Ａに供給させて透析治療を行わせることができる。
【００３３】
その後、液位検出手段９にて第１溶解槽２内の透析用原液の液位が所定高さに達すると、報知手段１０にて追加投入のための報知がなされる。この場合、図１０に示すように、バルブＶ１、Ｖ２、Ｖ４、Ｖ６を開状態としつつバルブＶ３、Ｖ５を閉状態とし、給水源からの給水を行わせる一方、ポンプＰ２の駆動を継続して行わせることにより、第１溶解槽２に代えて第２溶解槽３内の透析用原液を透析液供給装置Ｂに送液する。
【００３４】
しかして、第１溶解槽２内に所定量（追加投入袋数）の追加の透析用粉末剤を投入させることができ、その投入された透析用粉末剤が給水源からの給水によって溶解されることとなる。なお、ポンプＰ１を駆動させることにより、透析用原液となる過程の溶液を循環させることができる。これにより、第１溶解槽２に代えて第２溶解槽３からの透析用原液の送液が引き続き行われるとともに、第１溶解槽２において追加の透析用粉末剤を投入させて溶解することができる。
【００３５】
そして、所定量の給水が行われると、図１１に示すように、バルブＶ２、Ｖ４、Ｖ６を開状態としつつバルブＶ１、Ｖ３、Ｖ５を閉状態とし、給水源からの給水を停止する一方、ポンプＰ１、Ｐ２の駆動を継続して行わせることにより、第２溶解槽３から透析用原液の送液を引き続き行わせるとともに、第１溶解槽２内の透析用原液を循環させて攪拌し、均一な濃度の透析用原液を得ることができる。
【００３６】
上記のように第１溶解槽２に透析用原液が収容された状態において、図１２に示すように、バルブＶ２〜Ｖ５を開状態としつつバルブＶ１、Ｖ６を閉状態とし、ポンプＰ１及びポンプＰ２を駆動させることにより、送液ラインＬ３を介して第１溶解槽２内の透析用原液を透析液供給装置Ｂに送液することができ、所定濃度の透析液を各透析装置Ａに供給させて透析治療を行わせることができる。このとき、第１溶解槽２内の透析用原液の一部は、第２溶解槽３内に移送され、オーバーフローラインＬ５にてオーバーフローする状態まで透析用原液が送り込まれることとなる。
【００３７】
その後、図９に示すように、バルブＶ５を開状態としつつバルブＶ１〜Ｖ４、Ｖ６を閉状態とし、ポンプＰ１及びポンプＰ２を駆動させることにより、送液ラインＬ３を介して第１溶解槽２内の透析用原液を透析液供給装置Ｂに送液することができ、所定濃度の透析液を各透析装置Ａに供給させて透析治療を行わせることができる。これにより、第１溶解槽２にて追加溶解された透析用原液を透析液供給装置Ｂに供給することができるので、各透析装置Ａによる透析治療を継続して行わせることができる。
【００３８】
このように、本実施形態に係る溶解装置１は、透析治療中、患者に透析治療を施すための複数の透析装置Ａ側に第１溶解槽２及び第２溶解槽３の透析用原液を送液するのに伴って、追加の透析用粉末剤を所定量毎（本実施形態においては透析用粉末剤を収容する袋単位（袋数））に投入させて溶解し得るものであり、所謂バッチ式と称される溶解装置から成るものとされている。
【００３９】
ここで、本実施形態に係る溶解装置１の筐体部には、図５に示すように、入力手段４と、記憶手段５と、設定手段６と、予測手段７と、表示手段８とを有して構成されている。入力手段４は、操作者が入力操作可能な操作スイッチやタッチパネル等により構成されたもので、本実施形態においては、透析治療において必要とされる透析用粉末剤の総量を入力し得るものとされている。
【００４０】
表示手段８は、溶解作業に関する種々表示を行い得る液晶モニタ等にて構成されるもので、本実施形態においては、入力手段４と表示手段８とを兼用するタッチパネルにて構成されている。なお、入力手段４と表示手段８とを兼用するタッチパネルとするものの他、入力手段４と表示手段８とを別個に具備するものとしてもよい。
【００４１】
記憶手段５は、過去の透析治療中における追加の透析用粉末剤を投入したタイミングを実績投入タイミングとして記憶し得るもので、本実施形態においては、病院等の医療施設における患者の治療日程に対応した特定の治療日毎（具体的には曜日毎）に実績投入タイミングを記憶するよう構成されている。すなわち、透析患者は、通常、決まった曜日（例えば月曜日、水曜日及び金曜日）に透析治療を受けることから、医療従事者も曜日毎に決まった作業を行うこととなる。したがって、曜日（患者の治療日程に対応した特定の治療日毎）によって透析用原液や透析液の消費量及び流量がほぼ一定となるので、曜日毎に実績投入タイミングを記憶すれば追加の透析用粉末剤を投入するタイミングを精度よく予測することができる。
【００４２】
設定手段６は、入力手段４にて入力された透析用粉末剤の総量に基づいて、透析用粉末剤を追加投入すべき追加回数と、各追加投入タイミングで投入すべき透析用粉末剤の追加量とを自動的に設定し得るものである。例えば、表示手段８において、図１３に示すようなメニュー画面で特定の曜日（例えば月曜日）を選択し、その日に必要とされる透析用粉末剤の総量を入力すると、準備溶解量（治療前に予め溶解する袋数）と、透析用粉末剤を追加する回数（追加回数）と、各追加タイミングで投入すべき透析用粉末剤の投入量（追加時の袋数）とを自動的に割り振って設定し、図１４に示すように、表示手段８にて表示させるよう構成されている。
【００４３】
予測手段７は、記憶手段５で記憶された実績投入タイミング（本実施形態においては時刻）に基づいて、これから行われる透析治療中における追加の透析用粉末剤を投入するタイミングを予測投入タイミングとして予測し得るものである。具体的には、記憶手段５で記憶された実績投入タイミングのうち直近のもの（これから透析治療する日が月曜日であれば、先週の月曜日のもの）が予測投入タイミングとされるとともに、その後の曜日毎の透析治療日において、実績投入タイミングを順次上書き保存し、記憶手段５で記憶される実績投入タイミングを透析治療日毎にアップデート（記憶した情報を更新）するようになっている。
【００４４】
また、予測手段７による予測投入タイミングの予測方法として、上記のものに限らず、例えば過去の透析治療中における複数の実績投入タイミングを記憶手段５で記憶しておき、その平均値等を演算して予測投入タイミングとするもの、或いは曜日毎の透析用原液の消費パターン（消費傾向）が一定となったことを条件として、その消費パターンに基づいて予測投入タイミングを予測するもの等であってもよい。
【００４５】
なお、最初に本装置を使用する場合や試運転を行う場合等、記憶手段５にて実績投入タイミングが記憶されていない場合、例えば１クール（特定の医療施設において１日で行われる治療の単位）を５時間とし、そのうち準備作業に３０分、返血作業に３０分及び液置換に３０分それぞれかかることを想定し、クール毎の血液治療の開始時刻及び患者の数（床数）等を考慮すれば、実績投入タイミングが記憶されていなくても透析用粉末剤の投入タイミングを予測することができる。
【００４６】
また、溶解工程において、その日の透析用粉末剤の総量（袋数）が一時的に増加する場合、袋数１つにつき患者が１人変更になったと想定し、それまでの実績データに透析用原液の消費速度を対応させて透析用原液の消費傾向を作成し、透析用粉末剤の投入タイミングを予測してもよく、透析用粉末剤の総量（袋数）が恒久的に増加する場合、袋数１つにつき患者が１人変更になったと想定し、透析用原液の消費速度を対応させて透析用原液の消費傾向を作成し、透析用粉末剤の投入タイミングを予測してもよい。
【００４７】
表示手段８は、上述の如く溶解作業に関する種々表示を行い得るもので、特に本実施形態においては、図１４に示すように、予測手段７で予測された予測投入タイミングを表示し得るよう構成されている。また、本実施形態に係る表示手段８は、同図に示すように、予測手段７で予測された予測投入タイミングと併せて設定手段６で設定された追加回数及び追加量が表示されている。しかるに、本実施形態においては、表示手段８で表示される予測投入タイミングが「時刻」とされているが、投入タイミングが分かる他の形態であってもよく、例えば溶解開始時からの経過時間を予測投入タイミングとして表示するようにしてもよい。
【００４８】
さらに、本実施形態に係る予測手段７は、報知手段１０で報知された追加投入タイミングに基づいて次回以降の予測投入タイミングを修正し、その修正された予測投入タイミングを表示手段８にて表示させ得るよう構成されている。例えば、図１７に示すように、報知手段１０で報知された実際の追加投入タイミングと、そのときの予測手段７で予測された予測投入タイミングとの時間差（Δｔ）を算出し（Ｓ１）、次回以降の予測投入タイミングを時間差（Δｔ）だけずらす（Ｓ２）ことにより、予測投入タイミングを逐次修正し、その修正された予測投入タイミングが表示手段８にて表示されることとなる。
【００４９】
またさらに、本実施形態においては、設定手段６で設定された追加回数又は追加量を任意に変更可能とされるとともに、予測手段７は、当該変更に対応して予測投入タイミングを修正し、その修正された予測投入タイミングを表示手段８にて表示させ得るよう構成されている。例えば、図１５に示すように、１回目における透析用粉末剤の追加量を１０袋から８袋に変更した場合、その分、最終回（同図においては４回目）における追加量を修正して表示するとともに、２回目以降の予測投入タイミングをずらして表示させる。また、図１６に示すように、１回あたりの透析液粉末剤の追加量を８袋に減らし、追加回数を５回に増加させることも可能とされている。
【００５０】
このように、追加量（袋数）を変更する場合、図１９に示すように、記憶手段５にて過去の透析治療における透析用原液の経時的な消費傾向を記憶しておく。そして、例えば図１８に示すように、変更される袋数から生成される透析用原液の量を算出し（Ｓ１）、その透析用原液が消費される時刻を記憶手段５に記憶されたデータ（透析用原液の経時的な消費傾向）から予測（Ｓ２）した後、袋数が変更された以降の予測投入タイミングを修正（Ｓ３）することにより、その修正された予測投入タイミングが表示手段８にて表示されることとなる。
【００５１】
上記実施形態によれば、過去の透析治療中における追加の透析用粉末剤を投入したタイミングを実績投入タイミングとして記憶し得る記憶手段５と、記憶手段５で記憶された実績投入タイミングに基づいて、これから行われる透析治療中における追加の透析用粉末剤を投入するタイミングを予測投入タイミングとして予測し得る予測手段７と、予測手段７で予測された予測投入タイミングを表示し得る表示手段８とを具備したので、追加の透析用粉末剤の投入タイミングを作業者に対して予め把握させることができる。
【００５２】
また、透析治療において必要とされる透析用粉末剤の総量を入力し得るとともに、入力された透析用粉末剤の総量に基づいて、透析用粉末剤を追加投入すべき追加回数と、各追加投入タイミングで投入すべき透析用粉末剤の追加量とを設定し得る設定手段６を具備し、表示手段８は、予測投入タイミングと併せて設定手段６で設定された追加回数及び追加量を表示可能とされたので、追加回数及び追加量と併せて追加の透析用粉末剤の投入タイミングを作業者に対して予め把握させることができる。
【００５３】
さらに、設定手段６で設定された追加回数又は追加量を任意に変更可能とされるとともに、予測手段７は、当該変更に対応して予測投入タイミングを修正し、その修正された予測投入タイミングを表示手段８にて表示させ得るので、追加回数又は追加量の変更に伴う予測投入タイミングのずれを自動的に修正して表示させることができる。
【００５４】
またさらに、溶解槽（２、３）内に収容された透析用原液の液位を連続的且つリアルタイムに検出可能な液位検出手段９と、液位検出手段９で検出された透析用原液の液位に基づいて透析用粉末剤の追加投入タイミングを報知し得る報知手段１０とを具備するとともに、予測手段７は、報知手段１０で報知された追加投入タイミングに基づいて次回以降の予測投入タイミングを修正し、その修正された予測投入タイミングを表示手段８にて表示させ得るので、予測投入タイミングが報知手段１０で報知された実際の追加投入タイミングに対してずれた場合、そのずれを修正して表示させることができ、予測投入タイミングを精度よく予測することができる。
【００５５】
特に、本実施形態に係る記憶手段５は、医療施設における患者の治療日程（治療サイクル）に対応した特定の治療日毎（本実施形態においては曜日毎）に実績投入タイミングを記憶するとともに、予測手段７は、当該特定の治療日毎の予測投入タイミングを予測して表示手段で表示させ得るので、患者の治療日程が予め決まっている透析治療において、予測投入タイミングをより精度よく予測することができる。
【００５６】
さらに、表示手段８で表示される予測投入タイミングは、時刻又は溶解開始時からの経過時間とされるので、追加の透析用粉末剤の投入タイミングを作業者に対してより正確に把握させることができる。なお、本実施形態においては、予測投入タイミングと併せて設定手段６で設定された追加回数及び追加量を表として表示しているので、追加タイミングを視覚的に把握させることができる。これらの表示は、表以外、グラフ等として表示されるようにしてもよい。
【００５７】
以上、本実施形態について説明したが、本発明はこれに限定されず、例えば図２０に示すように、所定量の透析用粉末剤を収容する収容手段Ｍと、収容手段Ｍ内の透析用粉末剤を所定量ずつ溶解槽Ｔに供給し得るフィーダＦと、収容手段Ｍ内の透析用粉末の重量を経時的に計測し得る重量計Ｓとを有した溶解装置に適用してもよい。この場合、追加の透析用粉末剤は、収容手段Ｍに対して投入されることとなり、その実績投入タイミングが記憶されるとともに予測投入タイミングを予測して表示手段８にて表示させることができる。
【００５８】
さらに、本実施形態に係る溶解装置１は、透析用粉末剤を投入して溶解するための第１溶解槽２及び第２溶解槽３を具備しているが、１つの溶解槽を具備したもの或いは３つ以上の溶解槽を具備したものに適用してもよい。また、記憶手段５は、曜日毎に実績投入タイミングを記憶し、曜日毎に表示手段８にて予測投入タイミングを表示しているが、医療施設における患者の治療日程に対応した特定の治療日毎であれば、他の日程であってもよい。
【産業上の利用可能性】
【００５９】
過去の透析治療中における追加の透析用粉末剤を投入したタイミングを実績投入タイミングとして記憶し得る記憶手段と、記憶手段で記憶された実績投入タイミングに基づいて、これから行われる透析治療中における追加の透析用粉末剤を投入するタイミングを予測投入タイミングとして予測し得る予測手段と、予測手段で予測された予測投入タイミングを表示し得る表示手段とを具備した溶解装置であれば、外観形状が異なるもの或いは他の機能が付加されたもの等にも適用することができる。
【符号の説明】
【００６０】
１  溶解装置
２  第１溶解槽
３  第２溶解槽
４  入力手段
５  記憶手段
６  設定手段
７  予測手段
８  表示手段
９  液位検出手段
１０  報知手段
Ｌ１  給水ライン
Ｌ２  接続ライン
Ｌ３  送液ライン
Ｌ４  接続ライン
Ｌ５  オーバーフローライン
Ａ  透析装置
Ｂ  透析液供給装置
【図１】
2018153557.tif 000003
【図２】
2018153557.tif 000004
【図３】
2018153557.tif 000005
【図４】
2018153557.tif 000006
【図５】
2018153557.tif 000007
【図６】
2018153557.tif 000008
【図７】
2018153557.tif 000009
【図８】
2018153557.tif 000010
【図９】
2018153557.tif 000011
【図１０】
2018153557.tif 000012
【図１１】
2018153557.tif 000013
【図１２】
2018153557.tif 000014
【図１３】
2018153557.tif 000015
【図１４】
2018153557.tif 000016
【図１５】
2018153557.tif 000017
【図１６】
2018153557.tif 000018
【図１７】
2018153557.tif 000019
【図１８】
2018153557.tif 000020
【図１９】
2018153557.tif 000021
【図２０】
2018153557.tif 000022